(57)【要約】【課題】照明器具の安全性を向上する。【解決手段】照明器具３００は、引掛シーリングボディ２００に接続される。照明器具３００は、引掛シーリングボディ２００に対向する第一面３１５ａ、及び、第一面３１５ａと反対側の第二面３１５ｂを有する器具筐体３１５と、器具筐体３１５の第二面３１５ｂ側に設けられた発光部３２０と、給電用の第一端子３２１及び第二端子３２２と、接地用の第三端子３２３とを備える。第一端子３２１及び第二端子３２２は、発光部３２０に電気的に接続され、第三端子３２３は、器具筐体３１５に電気的に接続される。【選択図】図２
2020087645.tif 000002
【特許請求の範囲】
【請求項１】
引掛シーリングボディに接続される照明器具であって、
前記引掛シーリングボディに対向する第一面、及び、前記第一面と反対側の第二面を有する器具筐体と、
前記器具筐体の前記第二面側に設けられた発光部と、
給電用の第一端子及び第二端子と、
接地用の第三端子と
を備え、
前記第一端子及び前記第二端子は、前記発光部に電気的に接続され、
前記第三端子は、前記器具筐体に電気的に接続される
照明器具。
【請求項２】
前記第三端子は、前記第一面に垂直な方向に力を受けることで弾性変形する又は移動する
請求項１に記載の照明器具。
【請求項３】
前記照明器具は、複数の前記第三端子を備え、
前記第一面に垂直な方向から見た場合に、
複数の前記第三端子は、前記器具筐体の中心を基準として等角度間隔で配置されている
請求項１又は２に記載の照明器具。
【請求項４】
引掛シーリングボディと、
前記引掛シーリングボディに接続される請求項１〜３のいずれか１項に記載の照明器具と
を備える照明器具セットであって、
前記引掛シーリングボディは、建物に敷設された複数の電力供給線に１対１で接続される複数の電力供給部と、前記建物に敷設されたアース線に接続されるアース部とを有し、
前記第一端子及び前記第二端子は、前記複数の電力供給部に１対１で接続され、
前記第三端子は前記アース部に接続される
照明器具セット。
【請求項５】
前記引掛シーリングボディは、ボディ筐体を有し、
前記アース部は、前記器具筐体の前記第一面に対向するように前記ボディ筐体に設けられ、
前記第三端子は、弾性変形した状態で前記アース部に接触する
請求項４に記載の照明器具セット。
【請求項６】
前記照明器具は、前記第一面に垂直な軸を中心に所定の角度回転させられることで、前記引掛シーリングボディに着脱可能であり、
前記アース部は、前記第一面に垂直な方向から見た場合に円弧状の形状を有し、
円弧状の前記アース部の中心角は、前記所定の角度よりも大きい
請求項５に記載の照明器具セット。
【発明の詳細な説明】
【技術分野】
【０００１】
本発明は、天井に設けられた引掛シーリングボディに接続される照明器具、及び、引掛シーリングボディと照明器具とを備える照明器具セットに関する。
【背景技術】
【０００２】
従来、天井に設けられた引掛シーリングボディに電気的及び機械的に接続される照明器具が知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、安全性を向上することができる照明器具、及び、照明器具セットを提供する。
【課題を解決するための手段】
【０００５】
本発明の一態様に係る照明器具は、引掛シーリングボディに接続される照明器具であって、前記引掛シーリングボディに対向する第一面、及び、前記第一面と反対側の第二面を有する器具筐体と、前記器具筐体の前記第二面側に設けられた発光部と、給電用の第一端子及び第二端子と、接地用の第三端子とを備え、前記第一端子及び前記第二端子は、前記発光部に電気的に接続され、前記第三端子は、前記器具筐体に電気的に接続される。
【０００６】
本発明の一態様に係る照明器具セットは、引掛シーリングボディと、前記引掛シーリングボディに接続される上記照明器具とを備える照明器具セットであって、前記引掛シーリングボディは、建物に敷設された複数の電力供給線に１対１で接続される複数の電力供給部と、前記建物に敷設されたアース線に接続されるアース部とを有し、前記第一端子及び前記第二端子は、前記複数の電力供給部に１対１で接続され、前記第三端子は前記アース部に接続される。
【発明の効果】
【０００７】
本発明によれば、安全性を向上することができる照明器具、及び、照明器具セットが実現される。
【図面の簡単な説明】
【０００８】
【図１】図１は、実施の形態に係る照明器具を下方から見た外観斜視図である。
【図２】図２は、実施の形態に係る照明器具を上方から見た外観斜視図である。
【図３】図３は、実施の形態に係る照明器具の第三端子を示す模式図である。
【図４Ａ】図４Ａは、実施の形態に係る照明器具を引掛シーリングボディに取り付ける前の模式図である。
【図４Ｂ】図４Ｂは、実施の形態に係る照明器具を引掛シーリングボディに取り付けた後の模式図である。
【図５】図５は、実施の形態の変形例１に係る照明器具を引掛シーリングボディに取り付ける前の模式図である。
【図６】図６は、実施の形態の変形例１に係る照明器具の第三端子を示す模式図である。
【図７】図７は、実施の形態の変形例２に係る照明器具を示す模式図である。
【発明を実施するための形態】
【０００９】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１１】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１２】
（実施の形態）
［１．照明器具の構造］
まず、実施の形態に係る照明器具の構造について、図１〜図３を参照しながら説明する。
【００１３】
図１は、実施の形態に係る照明器具３００を下方から見た外観斜視図である。図２は、実施の形態に係る照明器具３００を上方から見た外観斜視図である。図３は、実施の形態に係る照明器具３００の第三端子３２３を示す模式図である。なお、図１及び図２には、天井などの構造物に設けられる引掛シーリングボディ２００と、引掛シーリングボディ２００及び照明器具３００を備える照明器具セット４００とが図示されている。
【００１４】
図１及び図２に示されるように、照明器具３００は、器具筐体３１５と、発光部３２０と、グローブ３５０と、給電用の第一端子３２１及び第二端子３２２と、接地用の複数の第三端子３２３とを備える。図２には、２つの第三端子３２３が示されている。
【００１５】
器具筐体３１５は、引掛シーリングボディ２００に対向する第一面３１５ａ、及び、第一面３１５ａと反対側の第二面３１５ｂを有している。器具筐体３１５は、例えば金属製であり、導電性を有している。器具筐体３１５は、第一面３１５ａに垂直な方向から見た場合に、円形状である。器具筐体３１５には、第一端子３２１及び第二端子３２２のそれぞれに対応する位置に、端子挿通孔３１６ａ、３１６ｂが設けられている。また、器具筐体３１５には、２つの第三端子３２３のそれぞれに対応する位置に、４つの端子挿通孔３１６ｃが設けられている。４つの端子挿通孔３１６ｃは、２つで一組となるように設けられている。
【００１６】
発光部３２０は、内部に複数のＬＥＤを有する光源であり、例えば、グローブ３５０（下方）に向けて光を発する。発光部３２０は、器具筐体３１５の第二面３１５ｂ側に設けられている。
【００１７】
グローブ３５０は、透光性を有する光学部材であり、グローブ３５０の平面視形状は、円形状である。グローブ３５０は、発光部３２０を覆うように、器具筐体３１５の第二面３１５ｂに取り付けられる。
【００１８】
第一端子３２１及び第二端子３２２は、例えば金属製の板状の部材であり、断面Ｌ字状の形状を有している。第一端子３２１は、器具筐体３１５の端子挿通孔３１６ａに挿入され、一部が第一面３１５ａから外側（上方）に突出している。第二端子３２２は、器具筐体３１５の端子挿通孔３１６ｂに挿入され、一部が第一面３１５ａから外側（上方）に突出している。各第一端子３２１、第二端子３２２の他方の端部は、発光部３２０に電気的に接続されている。
【００１９】
各第一端子３２１、第二端子３２２と器具筐体３１５とを導通させないため、第一端子３２１と端子挿通孔３１６ａとの間、及び、第二端子３２２と端子挿通孔３１６ｂとの間に、絶縁部材が設けられていてもよい。また、各端子挿通孔３１６ａ、３１６ｂの内周面に、絶縁部材が被覆されていてもよい。
【００２０】
図３に示すように、第三端子３２３は、金属製の線状の部材であり、Ｕ字状に曲げられた形状を有している。第三端子３２３は、両端部が２つ一組の端子挿通孔３１６ｃに挿入され、中央部が器具筐体３１５の第一面３１５ａから外側（上方）に突出している。第三端子３２３の両端部は、さらに折り曲げられて器具筐体３１５に接触し、器具筐体３１５に電気的に接続されている。第三端子３２３は、弾性を有し、第一面３１５ａに垂直な方向に力を受けることで弾性変形する。
【００２１】
また、２つの第三端子３２３は、後述する引掛シーリングボディ２００のアース部２２３に対応する位置に設けられている。２つの第三端子３２３は、第一面３１５ａに垂直な方向から見た場合に回転対称に配置されている。すなわち、２つの第三端子３２３は、器具筐体３１５の中心３１５ｃを基準として等角度間隔で配置されている。図２では、２つの第三端子３２３が示されているが、照明器具３００には、３つ以上の第三端子３２３が設けられていてもよい。
【００２２】
また、２つ一組の端子挿通孔３１６ａは、照明器具３００が引掛シーリングボディ２００に回転して取り付けられる際の回転方向の接線に沿って設けられ、線状の第三端子３２３は、上記接線を含む所定の面に沿って配置されている。
【００２３】
照明器具３００は、引掛シーリングボディ２００に機械的及び電気的に接続される。例えば、第一端子３２１が引掛シーリングボディ２００の挿通孔２１１に挿通され、かつ、第二端子３２２が挿通孔２１２に挿通された状態で、照明器具３００が時計回り（下方から見て）に回動されることで、照明器具３００は、引掛シーリングボディ２００に取り付けられる。また、照明器具３００が反時計回り（下方から見て）に回動されることで、照明器具３００は、引掛シーリングボディ２００から取り外される。すなわち照明器具３００は、器具筐体３１５の中心３１５ｃを通り第一面３１５ａに垂直な軸を中心に所定の角度回転させられることで、引掛シーリングボディ２００に着脱可能となっている。所定の角度は、例えば、３０°以上６０°以下である。
【００２４】
本実施の形態の照明器具３００は、給電用の第一端子３２１及び第二端子３２２と異なる、接地用の第三端子３２３をさらに備える。第三端子３２３は、器具筐体３１５に電気的に接続される。
【００２５】
照明器具３００が上記構造を有することで、照明器具３００を引掛シーリングボディ２００に接続した場合に、器具筐体３１５を接地することができ、照明器具３００の安全性を向上することができる。
【００２６】
［２．照明器具及び引掛シーリングボディの組み合わせ構造］
次に、照明器具３００及び引掛シーリングボディ２００の組み合わせ構造について、図４Ａ及び図４Ｂを参照しながら説明する。
【００２７】
図４Ａは、実施の形態に係る照明器具３００を引掛シーリングボディ２００に取り付ける前の模式図である。図４Ｂは、実施の形態に係る照明器具３００を引掛シーリングボディ２００に取り付けた後の模式図である。
【００２８】
図４Ａ及び図４Ｂに図示されるように、引掛シーリングボディ２００は、ボディ筐体２１５と、複数の電力供給部２２１、２２２と、複数のアース部２２３とを有している。電力供給部２２１、２２２のそれぞれは、電力供給用の端子であり、ボディ筐体２１５の内部に配置されている。各電力供給部２２１、２２２は、建物に敷設された複数の電力供給線５２１、５２２に１対１で接続される。
【００２９】
複数のアース部２２３は、接地用の端子である。各アース部２２３は、例えば金属板であり、器具筐体３１５の第一面３１５ａに対向するように、ボディ筐体２１５の下面に設けられている。図２では、２つのアース部２２３が示されているが、引掛シーリングボディ２００には、３つ以上のアース部２２３が設けられていてもよい。
【００３０】
各アース部２２３は、第一面３１５ａに垂直な方向から見た場合に円弧状の形状を有している。また、各アース部２２３は、第一面３１５ａに垂直な方向から見た場合に回転対称に配置されている。すなわち、複数のアース部２２３は、ボディ筐体２１５の中心２１５ｃを基準として等角度間隔で配置されている。円弧状のアース部２２３の中心角は、照明器具３００が引掛シーリングボディ２００に取り付けられる際に回転させられる上記所定の角度、言い換えれば第一端子３２１が回転移動する角度よりも大きい。各アース部２２３は、建物に敷設されたアース線５２３に接続される。
【００３１】
照明器具３００は、引掛シーリングボディ２００に直接接続される。照明器具３００が引掛シーリングボディ２００に接続された場合に、照明器具３００の第一端子３２１及び第二端子３２２は、複数の電力供給部２２１、２２２に１対１で電気的に接続され、第三端子３２３はアース部２２３に電気的に接続される。具体的には、照明器具３００が引掛シーリングボディ２００に接続される際に、照明器具３００が上方移動及び回動され、各第一端子３２１及び第二端子３２２が各電力供給部２２１、２２２に接続される。また、この上方移動により、第三端子３２３は、第一面３１５ａに垂直な方向（下方）に力を受け、弾性変形した状態でアース部２２３に接触する。第三端子３２３が器具筐体３１５に電気的に接続されているので、器具筐体３１５は、引掛シーリングボディ２００を介して接地される。
【００３２】
［３．効果等］
以上説明したように、本実施の形態の照明器具３００は、引掛シーリングボディに２００接続される照明器具である。照明器具３００は、引掛シーリングボディ２００に対向する第一面３１５ａ、及び、第一面３１５ａと反対側の第二面３１５ｂを有する器具筐体３１５と、器具筐体３１５の第二面３１５ｂ側に設けられた発光部３２０と、給電用の第一端子３２１及び第二端子３２２と、接地用の第三端子３２３とを備える。第一端子３２１及び第二端子３２２は、発光部３２０に電気的に接続され、第三端子３２３は、器具筐体３１５に電気的に接続される。
【００３３】
照明器具３００が上記構造を有することで、照明器具３００を引掛シーリングボディ２００に接続した場合に、器具筐体３１５を接地することができ、照明器具３００の安全性を向上することができる。
【００３４】
また、第三端子３２３は、第一面３１５ａに垂直な方向に力を受けることで弾性変形してもよい。また、第三端子３２３は、第一面３１５ａに垂直な方向に力を受けることで移動してもよい（変形例１参照）。
【００３５】
これによれば、第三端子３２３を引掛シーリングボディ２００に押し付けた状態で接続させることができ、引掛シーリングボディ２００を介して第三端子１２３を確実にアースに接続することができる。これにより、器具筐体３１５を接地することができ、照明器具３００の安全性を向上することができる。
【００３６】
また、照明器具３００は、複数の第三端子３２３を備え、第一面３１５ａに垂直な方向から見た場合に、複数の第三端子３２３は、器具筐体３１５の中心３１５ｃを基準として等角度間隔で配置されていてもよい。
【００３７】
これによれば、例えば、照明器具３００を引掛シーリングボディ２００に取り付けた場合に、複数の第三端子３２３を引掛シーリングボディ２００にバランス良く接触させることができる。これにより、器具筐体３１５を確実に接地することができ、照明器具３００の安全性を向上することができる。
【００３８】
本実施の形態の照明器具セット４００は、引掛シーリングボディ２００と、引掛シーリングボディ２００に接続される上記照明器具３００とを備える。引掛シーリングボディ２００は、建物に敷設された複数の電力供給線５２１、５２２に１対１で接続される複数の電力供給部２２１、２２２と、建物に敷設されたアース線５２３に接続されるアース部２２３とを有する。第一端子３２１及び第二端子３２２は、複数の電力供給部２２１、２２２に１対１で接続され、第三端子３２３はアース部２２３に接続される。
【００３９】
これによれば、第三端子３２３がアース部２２３を介してアース線５２３に接続される。これにより、器具筐体３１５を接地することができ、照明器具３００の安全性を向上することができる。
【００４０】
また、引掛シーリングボディ２００は、ボディ筐体２１５を有し、アース部２２３は、器具筐体３１５の第一面３１５ａに対向するようにボディ筐体２１５に設けられ、第三端子３２３は、弾性変形した状態でアース部２２３に接触してもよい。
【００４１】
これによれば、第三端子３２３をアース部２２３に押し付けた状態で接続させることができ、アース部２２３を介して第三端子１２３を確実にアースに接続することができる。これにより、器具筐体３１５を接地することができ、照明器具３００の安全性を向上することができる。
【００４２】
また、照明器具３００は、第一面３１５ａに垂直な軸を中心に所定の角度回転させられることで、引掛シーリングボディ２００に着脱可能であり、アース部２２３は、第一面３１５ａに垂直な方向から見た場合に円弧状の形状を有し、円弧状のアース部２２３の中心角は、上記所定の角度よりも大きくてもよい。
【００４３】
これによれば、例えば、照明器具３００を所定の角度回転させて引掛シーリングボディ２００に取り付ける際に、第一端子３２１及び第二端子３２２が電力供給を受ける前に、第三端子３２３をアース部２２３に接触させることができる。これにより、器具筐体３１５を接地することが可能となり、照明器具３００の安全性を向上することができる。
【００４４】
［４．実施の形態の変形例１］
次に、実施の形態の変形例１に係る照明器具３００Ａについて、図５及び図６を参照しながら説明する。変形例１では、照明器具３００Ａが、１つの第三端子３２３を有している例について説明する。
【００４５】
図５は、実施の形態の変形例１に係る照明器具３００Ａを引掛シーリングボディ２００に取り付ける前の模式図である。図６は、実施の形態の変形例１に係る照明器具３００Ａの第三端子３２３を示す模式図である。
【００４６】
図５に示されるように、照明器具３００Ａは、器具筐体３１５と、発光部３２０と、グローブ３５０と、給電用の第一端子３２１及び第二端子３２２と、接地用の第三端子３２３とを備える。
【００４７】
器具筐体３１５には、１つの第三端子３２３に対応する位置に、１つの端子挿通孔３１６ｃが設けられている。なお、１つの第三端子３２３は、後述する引掛シーリングボディ２００の１つのアース部２２３に対応する位置に設けられている。
【００４８】
図６に示すように、第三端子３２３は、ピン状の部材であり、上に凸な形状を有している。第三端子３２３は、第一面３１５ａに垂直な方向から見た場合に、器具筐体３１５の中心３１５ｃに設けられている。第三端子３２３は、上端部が器具筐体３１５の第一面３１５ａから外側（上方）に突出している。第三端子３２３の下端部は、配線３１９を介して器具筐体３１５に電気的に接続されている。器具筐体３１５にはハウジング３１８が取り付けられている。第三端子３２３は、ハウジング３１８内に配置された弾性部材３１７によって、第一面３１５ａに垂直な方向に力を受け、第一面３１５ａに垂直な方向に移動する。
【００４９】
図５に図示されるように、引掛シーリングボディ２００は、ボディ筐体２１５と、複数の電力供給部２２１、２２２と、１つのアース部２２３とを有している。
【００５０】
１つのアース部２２３は、接地用の端子である。アース部２２３は、例えば金属板であり、器具筐体３１５の第一面３１５ａに対向するように、ボディ筐体２１５の下面に設けられている。アース部２２３は、第一面３１５ａに垂直な方向から見た場合にボディ筐体２１５の中心２１５ｃに設けられている。
【００５１】
照明器具３００Ａが引掛シーリングボディ２００に接続された場合に、照明器具３００Ａの第一端子３２１及び第二端子３２２は、複数の電力供給部２２１、２２２に１対１で電気的に接続され、第三端子３２３はアース部２２３に電気的に接続される。具体的には、照明器具３００Ａが引掛シーリングボディ２００に接続される際に、照明器具３００Ａが上方移動及び回動され、各第一端子３２１及び第二端子３２２が各電力供給部２２１、２２２に接続される。また、この上方移動により、第三端子３２３は、アース部２２３を第一面３１５ａに垂直な方向に押圧した状態で、アース部２２３に接触する。第三端子３２３は、器具筐体３１５に電気的に接続されているので、器具筐体３１５が、引掛シーリングボディ２００を介して接地される。
【００５２】
変形例１の照明器具３００Ａでも、給電用の第一端子３２１及び第二端子３２２と異なる、接地用の第三端子３２３をさらに備える。第三端子３２３は、器具筐体３１５に電気的に接続される。
【００５３】
照明器具３００Ａが上記構造を有することで、照明器具３００Ａを引掛シーリングボディ２００に接続した場合に、器具筐体３１５を接地することができ、照明器具３００Ａの安全性を向上することができる。
【００５４】
［５．実施の形態の変形例２］
次に、実施の形態の変形例２に係る照明器具３００Ｂについて、図７を参照しながら説明する。変形例２では、第三端子３２３の向きが９０°異なる例について説明する。
【００５５】
変形例２では、２つ一組の端子挿通孔３１６ａが、照明器具３００Ｂが引掛シーリングボディ２００に回転して取り付けられる際の回転方向に対する半径に沿って設けられ、線状の第三端子３２３は、半径を含む面に沿って配置されている。
【００５６】
変形例２の照明器具３００Ｂでも、給電用の第一端子３２１及び第二端子３２２と異なる、接地用の第三端子３２３をさらに備える。第三端子３２３は、器具筐体３１５に電気的に接続される。
【００５７】
照明器具３００Ｂが上記構造を有することで、照明器具３００Ｂを引掛シーリングボディ２００に接続した場合に、器具筐体３１５を接地することができ、照明器具３００Ｂの安全性を向上することができる。
【００５８】
（その他の実施の形態）
以上、実施の形態について説明したが、本発明は、上記実施の形態に限定されるものではない。
【００５９】
例えば、上記実施の形態で説明された照明器具は一例であり、照明器具の具体的態様については特に限定されない。照明器具は、引掛けシーリングボディに接続されるのであれば、どのような態様であってもよい。照明器具の第一端子、第二端子および第三端子は、必ずしも器具筐体の第一面から外側に突出している必要はない。例えば、引掛シーリングボディを水平方向から見て引掛シーリングボディ側の端子が凸状の形状を有している場合は、第一端子、第二端子および第三端子は、第一面から内側に入り込む凹状（ソケット状）の形状を有していてもよい。
【００６０】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【００６１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００６２】
２００  引掛シーリングボディ
２１５  ボディ筐体
２２１、２２２  電力供給部
２２３  アース部
３００、３００Ａ、３００Ｂ  照明器具
３１５  器具筐体
３１５ａ  第一面
３１５ｂ  第二面
３１５ｃ  中心
３２０  発光部
３２１  第一端子
３２２  第二端子
３２３  第三端子
４００  照明器具セット
５２１、５２２  電力供給線
５２３  アース線
【図１】
2020087645.tif 000003
【図２】
2020087645.tif 000004
【図３】
2020087645.tif 000005
【図４Ａ】
2020087645.tif 000006
【図４Ｂ】
2020087645.tif 000007
【図５】
2020087645.tif 000008
【図６】
2020087645.tif 000009
【図７】
2020087645.tif 000010